(57)【要約】【課題】  強電界下において妨害波を大きく抑圧するため同調回路の回路Ｑを高くし、弱電界下において同調回路の通過損失を低減する、同調回路の制御手段を提供する。【解決手段】  受信装置内の所定のポイントでのレベルを検出するレベル検出部９と、検出された信号レベルに応じて、受信装置入力段に設けた選択度可変同調手段４の回路Ｑを制御する回路Ｑ制御部１０を備え、検出した信号レベルが小さいときは、希望波の通過損失の増加を抑えるため、選択度可変同調手段４の回路Ｑが低くなるように制御し、検出した信号レベルが大きいときは、妨害波の抑圧量を大きくするため、選択度可変同調手段４の回路Ｑを高くなるように制御する。【選択図】  図１
2006217127.tif 000002
【特許請求の範囲】
【請求項１】
電波を受信するアンテナ部と、前記アンテナ部で受信した電波の中から希望波に同調する同調部と、前記同調部で同調した希望波の信号を復調して復調信号を出力する復調信号出力部と、前記同調部の所定のポイントにおける信号レベルを検出し、検出された信号レベルに応じて前記同調部が同調する希望波の選択度を制御する選択度制御部とを備えた受信装置。
【請求項２】
前記選択度制御部は、前記同調部の所定ポイントにおける信号レベルに応じて前記同調部の回路Ｑの値を制御する回路Ｑ制御信号を生成することを特長とする請求項１記載の受信装置。
【請求項３】
前記同調部は、前記所定ポイントにおける信号レベルに応じて前記同調部に入力された電波を減衰する可変減衰手段および前記所定ポイントにおける信号レベルに応じて前記同調部に入力された電波を増幅する可変増幅手段のうち少なくともいずれか一方と、前記可変減衰手段の減衰量または前記可変増幅手段の増幅量を制御するＡＧＣ手段とを備えた請求項１または２に記載の受信装置。
【請求項４】
前記可変減衰手段の減衰量に応じて選択度可変同調手段の回路Ｑの値を制御する請求項３記載の受信装置。
【発明の詳細な説明】
【技術分野】
【０００１】
本発明は、アンテナで受信された様々な周波数の電波の中から希望する周波数の信号を選択する選択手段を有し、選択手段で選択された信号に基づいて、復調信号を出力する受信装置に関するものである。
【背景技術】
【０００２】
従来の受信装置は、例えば図１２に示すラジオ受信装置１０１などのように、放送波などの変調された信号を含む電波をアンテナ部１０２で受信し、これが同調部１０３に入力され次の周波数変換処理に必要なレベルになるよう制御される。この同調部１０３はバンドパスフィルター特性となっており、希望する周波数（希望波）以外の信号はここで適度に減衰される。さらに周波数変換処理された信号から希望波の信号（希望信号）だけを分離し復調部１０４で復調した信号が復調信号出力手段であるスピーカから出力される。
【０００３】
ここで、同調部は、アンテナから受信した信号のうち、他の放送局の信号や、他のシステム（自営無線等）で使用されている無線信号などの妨害波と希望波とに対して、希望波の周波数に同調して希望波を低損失で通過させ、周波数の異なる妨害波を抑圧する目的で設けられている。同調部において希望波は低損失で通過し、妨害波は同調手段の回路Ｑに応じて抑圧される。同調部により、同調部以降の回路ブロックへの妨害波の入力が抑圧されるため、受信装置における妨害波による感度抑圧や歪の発生といった弊害が軽減できる。
【０００４】
図１３は、従来の受信装置の一例とした受信装置のフロントエンド部６１のブロック図である。アンテナにて受信された妨害波および希望波はＲＦ入力端子５１に入力され、可変減衰手段５２、同調手段５３を通って可変利得増幅手段５４に入力され適当な信号レベルに増幅される。そして、同調手段５５、同調手段５６を通って、ＲＦ出力端子６０に出力される。ＲＦ出力端子６０に出力されたＲＦ信号は後段のミキサ６２によりオシレータ６３が出力する局部発振信号と混合され、ＩＦ信号が生成される。ＡＧＣ（Auto Gain Control）検出部５８で検出された信号レベルに応じて、ＡＧＣ制御部５９で可変減衰手段５２の減衰量制御信号や可変利得増幅手段５４の利得制御信号が生成され、ＡＧＣ検出部５８で検出される信号レベルが一定レベル以下となるように、可変減衰手段５２や可変利得増幅手段５４に対するＡＧＣ制御がおこなわれている。本実施例では切替部５７により、信号レベルが一定レベル以下となるなるようにＡＧＣ制御をおこなうポイントを切り替えることができる構成になっている。通常の受信動作においてはＡＧＣ制御の周波数特性のＱを高くするために、後段の同調手段５６を通過した信号を用いてＡＧＣ制御がおこなわれるように切替部５７を制御し、妨害波による感度抑圧を低減している。自動選局動作においてはＡＧＣ制御の周波数特性のＱを低くするために、前段の同調手段５５を通過した信号を用いてＡＧＣ制御がおこなわれるように切替部５７を制御し、自動選局動作の誤動作を防止している。
【特許文献１】特開平５−３２７３７７号公報
【発明の開示】
【発明が解決しようとする課題】
【０００５】
しかしながら従来の受信装置の構成では、妨害波による感度抑圧を低減するため、後段の同調手段の出力を用いてＡＧＣ制御をおこなっており、この同調手段よりもアンテナ側に設けられている可変増幅手段などには過大な妨害波が入力され、可変増幅手段などで相互変調歪が生じるなどの問題が発生する場合がある。これを防ぐためには、可変増幅手段に入力される妨害波が大きく抑圧されるように、可変増幅手段よりもアンテナ側に設けら
れている同調手段の回路Ｑが高くなるように設計すれば良いが、このとき同調手段における希望波の通過損失が増大し、通常状態における受信装置の感度が低下するという問題があった。また同調手段のｆズレ（同調部のコイルやコンデンサの誤差や、温度変動によって生じる同調手段において通過損失が最小となる周波数と、受信・復調する電波の周波数とがズレた状態）が発生した場合、ｆズレによる希望波の同調手段での通過損失の増加も、増大してしまうという問題があった。図１４に同調手段の周波数特性と通過振幅特性の関係を示す。Ｓ１０１のように回路Ｑが低い同調手段に対して、Ｓ１０２のように回路Ｑが高い同調手段では、同調手段に使用するコイルやコンデンサが持つ抵抗分の影響で、同調周波数における同調手段での通過損失が増大するという問題があった。
【０００６】
本発明は、従来の問題を解決するためになされたもので、強電界下においては妨害波を大きく抑圧して、妨害波による感度抑圧を軽減し、弱電界下においては同調周波数における通過損失を低くすることのできる、受信性能の高い受信装置を提供することを目的とする。
【課題を解決するための手段】
【０００７】
本発明の受信装置は、電波を受信するアンテナ部と、前記アンテナ部で受信した電波の中から希望波に同調する同調部と、前記同調部で同調した希望波の信号を復調して復調信号を出力する復調信号出力部と、前記同調部の所定のポイントにおける信号レベルを検出し、検出された信号レベルに応じて前記同調部が同調する希望波の選択度を制御する選択度制御部とを備えた構成を有している。
【０００８】
この構成により、同調部内の所定ポイントにおける信号レベルが小さいときは、選択度可変同調手段の選択度を低くしても、妨害波レベルが小さいため妨害波による感度抑圧や、選択度可変同調手段以降の回路ブロックで発生する歪が問題とならず、かつ選択度可変同調手段の選択度を低くして、選択度可変同調手段での希望波の通過損失を低減し、同調手段の通過損失による受信装置の感度劣化を低減できる。また、同調部内の所定ポイントにおける妨害波レベルが大きいときは、選択度可変同調手段の選択度を高くして、選択度可変同調手段での妨害波の抑圧量を大きくし、選択度可変同調手段以降の回路ブロックに入力される妨害波レベルを小さくでき、妨害波による感度抑圧の軽減や、選択度可変同調手段以降の回路ブロックで発生する歪の低減ができる。
【０００９】
また、本発明の受信装置は、前記選択度制御部は、前記同調部の所定ポイントにおける信号レベルに応じて前記同調部の回路Ｑの値を制御する回路Ｑ制御信号を生成する構成を有している。
【００１０】
さらに、本発明の受信装置は、前記同調部が、前記所定ポイントにおける信号レベルに応じて前記同調部に入力された電波を減衰する可変減衰手段および前記所定ポイントにおける信号レベルに応じて前記同調部に入力された電波を増幅する可変増幅手段のうち少なくともいずれか一方と、前記可変減衰手段の減衰量または前記可変増幅手段の増幅量を制御するＡＧＣ手段とを備えた構成を有している。
【００１１】
この構成により、ＡＧＣ制御用のレベル検出部と選択度可変同調手段用のレベル検出部を共有し、部品点数を削減できる。装置内の所定ポイントにおける信号レベルが小さいときは、選択度可変同調手段の回路Ｑを低くしても、妨害波レベルが小さいため妨害波による感度抑圧や、選択度可変同調手段以降の回路ブロックで発生する歪が問題とならず、選択度可変同調手段の回路Ｑを低くして、選択度可変同調手段での希望波の通過損失を低減し、同調手段の通過損失による受信装置の感度劣化を低減できる。装置内の所定ポイントにおける妨害波レベルが大きいときは、選択度可変同調手段の回路Ｑを高くして、選択度可変同調手段での妨害波の抑圧量を大きくし、選択度可変同調手段以降の回路ブロックに
入力される妨害波レベルを小さくでき、妨害波による感度抑圧の軽減や、選択度可変同調手段以降の回路ブロックで発生する歪の低減ができる。
【００１２】
さらに、本発明の受信装置は、前記可変減衰手段の減衰量に応じて選択度可変同調手段の回路Ｑの値を制御する構成を有している。
【００１３】
この構成により、受信装置の弱電界下における感度の劣化を抑えて、妨害波による受信装置の感度抑圧を軽減できる。
【発明の効果】
【００１４】
本発明の受信装置によれば、同調手段の通過損失による受信装置の感度劣化を低減し、また、妨害波による感度抑圧の軽減や、選択度可変同調手段以降の回路ブロックで発生する歪を低減する受信装置を提供することができるものである。
【発明を実施するための最良の形態】
【００１５】
以下、本発明の実施の形態の受信装置について、図面を用いて説明する。
【００１６】
（実施の形態１）
本発明の実施の形態の受信装置は、従来の受信装置１０１の同調部１０３における構成が異なるだけであるため、その他の構成に関する説明を省略する。
【００１７】
本発明の実施の形態１の受信装置における同調部１４の構成を図１に示す。  図１において、アンテナにて受信されたＲＦ入力信号はＲＦ入力端子１に入力され、バンドパスフィルタ２において受信帯域外の妨害波が除去される。バンドパスフィルタ２の出力は、可変減衰手段３、選択度可変同調手段４を通って可変利得増幅手段５で増幅される。そして同調手段６を通り、ミキサ７にてオシレータ８の発振出力と混合されて周波数変換されＩＦ信号としてＩＦ出力端子１３に出力される。レベル検出部９はバンドパスフィルタ２の出力レベルを検出し、回路Ｑ制御部１０は、レベル検出部９で検出されたレベルに応じて、選択度可変同調手段４の回路Ｑを制御する回路Ｑ制御信号を生成する。ＡＧＣ検出部１１は、ミキサ７から取出されるＩＦ出力レベルを検出し、ＡＧＣ制御部１２は、ＩＦ出力レベルに応じて、可変減衰手段３の減衰量を制御する減衰量制御信号と、可変利得増幅手段５の利得を制御する利得制御信号を生成する構成である。図１において、ＩＦ出力レベルを検出してＡＧＣ制御をおこなう構成としているが、他のポイントの信号レベルを検出してＡＧＣ制御をおこなう構成でも、複数のポイントの信号レベルを検出し、それらの信号レベルを用いてＡＧＣ制御をおこなう構成でもよい。また、図１において、可変増幅手段５の利得を可変してＡＧＣ制御をおこなう構成としているが、ＡＧＣ制御は可変減衰手段３の減衰量の制御のみでおこない、増幅手段は利得を固定した構成でもよい。また、図１において、可変増幅手段５でＲＦ信号を増幅する構成としているが、増幅手段を使用せず選択度可変同調手段４の出力をミキサ７に入力する構成でもよい。また、図１においてＩＦ出力レベルに応じてＡＧＣ制御をおこなう構成となっているが、ＡＧＣ制御をおこなわない構成でもよい。
【００１８】
以上のように構成された、本発明の実施の形態１の受信装置における同調部の動作について、図２、図３を用いて説明する。
【００１９】
図２にＲＦ入力端子１から選択度可変同調手段４までの周波数に対する通過特性を示す。弱電界下においては、ＡＧＣが動作せず可変減衰手段３の減衰量が最小となり、Ｓ２１に示す通過特性となる。ＲＦ入力端子１に入力される希望波のレベルが大きくなるとＡＧＣが動作する。このときＳ２２に示す通過特性となるところ、選択度可変同調手段４の回路Ｑが高くなるなるように制御することでＳ２３に示すような通過特性となり、選択度可
変同調手段４の回路Ｑを高くしたことで希望波の通過損失が増加するが、これはＡＧＣ制御により補正されＳ２４に示す通過特性となる。同調手段の回路Ｑが制御できない場合、妨害波の周波数においてＳ２４と同等の抑圧量を得るためには、Ｓ２５に示す通過特性となる。
【００２０】
図３にＲＦ入力端子１への入力レベルに対する選択度可変同調手段４の回路Ｑの変化と、可変減衰手段３の減衰量の変化を示す。
【００２１】
図３（ａ）に示すように、ＲＦ入力端子１への入力レベルに応じて選択度可変同調手段４の回路Ｑを制御している。図３（ａ）では選択度可変同調手段４の回路Ｑの変動領域において、回路Ｑを連続的に変化させているが、段階的に変化させる構成でもよい。図３（ｂ）に示すように、ＲＦ入力端子１への入力レベルに応じて可変減衰手段３の減衰量が制御されている。妨害波によるＡＧＣ動作開始レベルや、ＲＦ入力端子１への妨害波の入力レベルの変化に対する、可変減衰手段３の減衰量の変化の割合は、選択度可変同調手段４の回路Ｑの制御により変化させることができる。ＡＧＣ制御用の信号レベル検出ポイントと、選択度可変同調手段４の回路Ｑ制御用の信号レベル検出用のポイントを分けることで、より綿密な制御をおこなうことができる。
【００２２】
また、図１において、バンドパスフィルタ２の出力レベルを検出し、選択度可変同調手段４の回路Ｑ制御をおこなう構成としているが、他のポイントでの信号レベルを検出して選択度可変同調手段４の回路Ｑ制御をおこなう構成でも、複数のポイントの信号レベルを検出し、それらの信号レベルを用いて選択度可変同調手段４の回路Ｑ制御をおこなう構成でもよい。可変減衰手段３以降のポイントでの信号レベルを検出し、選択度可変同調手段４の回路Ｑ制御をおこなう場合、図３（ａ）に示す選択度可変同調手段４の回路Ｑは、ＡＧＣ動作開始以上のＲＦ入力端子１への入力レベルにおいて、固定されるが、他の本発明の実施の形態１の同調部と同様の効果がある。
【００２３】
次に選択度可変同調手段の回路例を図４、図５に示す。
【００２４】
図４は並列共振を用いた選択度可変同調手段２６である。ＲＦ入力端子１５に入力されたＲＦ信号はＲＦ出力端子２５に出力される。インダクタ１６と可変容量１７、インダクタ２０と可変容量２１は、それぞれ同調周波数において並列共振するように設計されている。可変容量１７、可変容量２１は、その容量値を電気的に制御するため可変容量ダイオードを使用してもよい。このときインダクタ１６、インダクタ２０のインダクタンス値を調整して、可変容量１７、可変容量２１の可変容量ダイオードの制御電圧を共通とした構成にしてもよい。コンデンサ１８は、インダクタ１６と可変容量１７の共振回路と、インダクタ２０と可変容量２１の共振回路のカップリングのために設けている。ＰＩＮダイオード１９には、回路Ｑ制御信号入力端子２３に供給される電圧と、抵抗２２により設定される電流が流れ、この電流によりＰＩＮダイオード１９の抵抗値が変化し、選択度可変同調手段２６の回路Ｑが変化する。コンデンサ２４はＤＣカットの目的で設けている。回路Ｑ制御信号入力端子２３に供給する電圧が低いときは、選択度可変同調手段２６の回路Ｑが低くなり、回路Ｑ制御信号入力端子２３に供給する電圧が高いときは、選択度可変同調手段２６の回路Ｑが高くなる。回路Ｑ制御信号入力端子２３に供給する電圧値は、装置内の所定ポイントの信号レベルに応じて、連続的に制御しても、段階的に制御してもよい。図４において、ＰＩＮダイオード１９を用いて、選択度可変同調手段２６の回路Ｑを変化させているが、ＰＩＮダイオード１９をスイッチに置き換え、このスイッチのオン／オフにより選択度可変同調手段２６の回路Ｑを切り替える構成としてもよい。
【００２５】
図５は直列共振を用いた選択度可変同調手段３２である。ＲＦ入力端子１５に入力されたＲＦ信号はＲＦ出力端子２５に出力される。インダクタ１６と可変容量１７は、同調周
波数において並列共振するように設計されており、インダクタ２７と可変容量２８は、同調周波数において直列共振するように設計されている。可変容量１７、可変容量２８は、容量値を電気的に制御するため可変容量ダイオードを使用してもよい。このときインダクタ１６、インダクタ２７のインダクタンス値を調整して、可変容量１７、可変容量２８の可変容量ダイオードの制御電圧を共通とした構成にしてもよい。ＰＩＮダイオード２９には、回路Ｑ制御信号入力端子３１に供給される電圧と、抵抗３０により設定される電流が流れ、この電流によりＰＩＮダイオード２９の抵抗値が変化し、選択度可変同調手段３２の回路Ｑを変化させている。コンデンサ２４はＤＣカットの目的で設けている。回路Ｑ制御信号入力端子３１に供給する電圧が高いときは、選択度可変同調手段３２の回路Ｑが低くなり、回路Ｑ制御信号入力端子３１に供給する電圧が低いときは、選択度可変同調手段３２の回路Ｑが高くなる。回路Ｑ制御信号入力端子３１に供給する電圧値は、装置内の所定ポイントの信号レベルに応じて、連続的に制御しても、段階的に制御してもよい。図５において、ＰＩＮダイオード２９を用いて、選択度可変同調手段３２の回路Ｑを変化させているが、ＰＩＮダイオード２９をスイッチに置き換え、このスイッチのオン／オフにより選択度可変同調手段３２の回路Ｑを切り替える構成としてもよい。
【００２６】
また選択度可変同調手段としては、回路Ｑの異なる複数の同調手段を設け、回路Ｑ制御信号に応じて、使用する同調手段を切り替える構成としてもよい。
【００２７】
このような本発明の実施の形態１の受信装置によれば、受信装置の同調部１４の入力段に設けた、選択度可変同調手段４に対して、受信装置に入力される信号レベルが小さいときは、選択度可変同調手段４の回路Ｑを低くし、受信装置に入力される信号レベルが大きいときは、選択度可変同調手段４の回路Ｑを高くするように制御する、回路Ｑ制御部１０を設けることにより、弱電界下において感度を劣化させることなく、強電界下においては妨害波の抑圧が大きい同調手段を実現し、強電界下における感度抑圧を改善し、妨害波による受信装置の歪特性を改善することができる。
【００２８】
次に、本発明の実施の形態２の同調手段の制御手段を設けた、受信装置の同調部３５の構成を図６に示す。
【００２９】
図６において、アンテナにて受信されたＲＦ入力信号はＲＦ入力端子１に入力され、バンドパスフィルタ２において受信帯域外の妨害波が除去される。バンドパスフィルタ２の出力は、可変減衰手段３、選択度可変同調手段４を通って可変利得増幅手段５で増幅される。そして同調手段６を通り、ミキサ７にてオシレータ８の発振出力と混合されて周波数変換されＩＦ信号としてＩＦ出力端子１３に出力される。レベル検出部３３はＩＦ信号のレベルを検出し、回路Ｑ制御部３４は、レベル検出部３３で検出されたレベルに応じて、選択度可変同調手段４の回路Ｑを制御する回路Ｑ制御信号を生成する。ＡＧＣ制御部１２は、レベル検出部３３で検出されたＩＦ出力レベルに応じて、可変減衰手段３の減衰量を制御する減衰量制御信号と、可変利得増幅手段５の利得を制御する利得制御信号を生成する構成である。図６において、ＩＦ出力レベルを検出し、ＡＧＣ制御と、選択度可変同調手段４の回路Ｑ制御をおこなう構成としているが、他のポイントの信号レベルを検出して、ＡＧＣ制御と、選択度可変同調手段４の回路Ｑ制御をおこなう構成でも、複数のポイントの信号レベルを検出し、それらの信号レベルを用いてＡＧＣ制御と、選択度可変同調手段４の回路Ｑ制御をおこなう構成でもよい。また、図６において、可変増幅手段５の利得を可変してＡＧＣ制御をおこなう構成としているが、ＡＧＣ制御は可変減衰手段３の減衰量の制御のみでおこない、増幅手段は利得を固定した構成でもよい。また、図６において、可変増幅手段５でＲＦ信号を増幅する構成としているが、増幅手段を使用せず選択度可変同調手段４の出力をミキサ７に入力する構成でもよい。
【００３０】
以上のように構成された、本発明の実施の形態２の同調手段の制御手段の動作について
、図７を用いて説明する。
【００３１】
図７にＲＦ入力端子１への入力レベルに対する選択度可変同調手段４の回路Ｑの変化と、可変減衰手段３の減衰量の変化を示す。
【００３２】
図７（ａ）に示すように、ＡＧＣの動作領域以下の入力レベルでは、ＲＦ入力端子１への入力レベルに応じて選択度可変同調手段４の回路Ｑが制御されている。図７（ａ）では選択度可変同調手段４の回路Ｑの変動領域において、回路Ｑを連続的に変化させているが、段階的に変化させる構成でもよい。ＡＧＣが動作するＲＦ入力端子１の入力レベルでは、選択度可変同調手段４の回路Ｑは、高い回路Ｑで固定されている。図７（ｂ）に示すように、ＲＦ入力端子１への入力レベルに応じて、可変減衰手段３の減衰量が制御されている。妨害波によるＡＧＣ動作開始レベルは、選択度可変同調手段４の回路Ｑの制御により変化させることができる。
【００３３】
このような本発明の実施の形態２の同調手段の制御手段によれば、受信装置のフロントエンド部３５の入力段に設けた、選択度可変同調手段４に対して、ＡＧＣ制御に使用している、受信装置内の所定ポイントでの信号レベルを用いて、信号レベルが小さいときは、選択度可変同調手段４の回路Ｑを低くし、信号レベルが大きいときは、選択度可変同調手段４の回路Ｑを高くするように制御する、回路Ｑ制御部３４を設けることにより、少ない追加部品で、弱電界下において感度を劣化させることなく、ＡＧＣが動作するような強電界下においては妨害波の抑圧が大きい同調手段を実現し、強電界下においる感度抑圧を改善し、妨害波による受信装置の歪特性を改善することができる。
【００３４】
次に、本発明の実施の形態３の同調手段の制御手段を設けた、受信装置のフロントエンド部３７の構成を図８に示す。
【００３５】
図８において、アンテナにて受信されたＲＦ入力信号はＲＦ入力端子１に入力され、バンドパスフィルタ２において受信帯域外の妨害波が除去される。バンドパスフィルタ２の出力は、可変減衰手段３、選択度可変同調手段４を通って可変利得増幅手段５で増幅される。そして同調手段６を通り、ミキサ７にてオシレータ８の発振出力と混合されて周波数変換されＩＦ信号としてＩＦ出力端子１３に出力される。ＡＧＣ検出部１１は、ミキサ７から取出されるＩＦ出力レベルを検出し、ＡＧＣ制御部１２は、ＩＦ出力レベルに応じて、可変減衰手段３の減衰量を制御する減衰量制御信号と、可変利得増幅手段５の利得を制御する利得制御信号を生成する。回路Ｑ制御部３６は、ＡＧＣ制御部１２で生成された減衰量制御信号に応じて、選択度可変同調手段４の回路Ｑを制御する回路Ｑ制御信号を生成する構成である。図８において、ＩＦ出力レベルを検出しＡＧＣ制御をおこなう構成としているが、他のポイントの信号レベルを検出してＡＧＣ制御をおこなう構成でも、複数のポイントの信号レベルを検出し、それらの信号レベルを用いてＡＧＣ制御をおこなう構成でもよい。また、図８において、可変増幅手段５の利得を可変してＡＧＣ制御をおこなう構成としているが、ＡＧＣ制御は可変増幅手段３の減衰量の制御のみでおこない、増幅手段は利得を固定した構成でもよい。また、図８において、可変増幅手段５でＲＦ信号を増幅する構成としているが、増幅手段を使用せず選択度可変同調手段４の出力をミキサ７に入力する構成でもよい。また、図８において、減衰量制御信号に応じて選択度可変同調手段４の回路Ｑを制御する構成としているが、利得制御信号に応じて選択度可変同調手段４の回路Ｑを制御する構成としてもよい。
【００３６】
以上のように構成された、本発明の実施の形態３の同調手段の制御手段の動作について、図９を用いて説明する。
【００３７】
図９にＲＦ入力端子１への入力レベルに対する選択度可変同調手段４の回路Ｑの変化と
、可変減衰手段３の減衰量の変化を示す。
【００３８】
図９（ａ）に示すように、ＡＧＣが動作するＲＦ入力端子１への入力レベルの領域で、ＲＦ入力端子１への入力レベルに応じて選択度可変同調手段４の回路Ｑが制御されている。図９（ａ）では選択度可変同調手段４の回路Ｑの変動領域において、回路Ｑを連続的に変化させているが、段階的に変化させる構成でもよい。図９（ｂ）に示すように、ＲＦ入力端子１への入力レベルに応じて可変減衰手段３の減衰量が制御されている。ＲＦ入力端子１への妨害波の入力レベルの変化に対する、可変減衰手段３の減衰量の変化の割合は、選択度可変同調手段４の回路Ｑの制御により変化させることができる。
【００３９】
次に、本実施の形態を実現する可変減衰手段と選択度可変同調手段の回路例を図１０、図１１に示す。選択度可変同調手段として、前述した図４に示した回路を用いた。
【００４０】
図１０の回路例４４において、１５に入力されたＲＦ信号はＲＦ出力端子２５に出力される。ＰＩＮダイオード３８、コンデンサ３９、抵抗４０は可変減衰手段を構成し、インダクタ４１は、前記可変減衰手段の減衰量を大きくしたときに、インダクタ１６と可変容量１７が接続されるポイントのインピーダンス低下を低減するために設けている。減衰量制御入力端子４３に電圧が供給されると、ＰＩＮダイオード３８に電流が流れ前記可変減衰手段の減衰量が増加する。同時に、抵抗４２で設定された電流がＰＩＮダイオード１９に流れ、選択度可変同調手段の回路Ｑを高くする。
【００４１】
図１１の回路例４７は、図１０の回路例４４において、ＰＩＮダイオード３８とＰＩＮダイオード１９に共通の電流が流れるような構成としたものである。減衰量制御入力端子４６に電圧が供給されると、抵抗４５で設定された電流が、ＰＩＮダイオード３８とＰＩＮダイオード１９に流れ、前記可変減衰手段の減衰量を増加させると同時に、選択度可変同調手段の回路Ｑを高くさせる。
【００４２】
このような本発明の実施の形態３の受信装置によれば、受信装置の同調部部３７の入力段に設けた、選択度可変同調手段４に対して、ＡＧＣをおこなう可変減衰手段３の減衰量を制御している減衰量制御信号を用いて、可変減衰手段３の減衰量が小さいときは、選択度可変同調手段４の回路Ｑを低くし、可変減衰手段３の減衰量が大きいときは、選択度可変同調手段４の回路Ｑを高くするように制御する、回路Ｑ制御部３６を設けることにより、少ない追加部品で、弱電界下において感度を劣化させることなく、ＡＧＣが動作するような強電界下においては妨害波の抑圧が大きい同調手段を実現し、強電界下における感度抑圧を改善し、妨害波による受信装置の歪特性を改善することができる。
【００４３】
なお、以上の実施の形態においては、受信装置としてラジオ受信装置を例にあげたが、その他の無線装置や、復調した信号が音声信号ではなく、データ信号を用いたものであっても、同様の効果が得られるものである。
【産業上の利用可能性】
【００４４】
以上のように、本発明にかかる選択度可変同調手段の制御手段は、弱電界下における感度劣化を低減しつつ、妨害波の強入力による感度抑圧や歪の発生といった問題を改善する効果を有し、アンテナから希望波と妨害波が同時に入力される、例えばラジオのような受信装置において有用である。
【図面の簡単な説明】
【００４５】
【図１】本発明の第１の実施の形態における受信装置の同調部のブロック図
【図２】本発明の第１の実施の形態における受信装置の同調手段の通過特性図
【図３】（ａ）本発明の第１の実施の形態における受信装置の選択度可変同調手段の回路Ｑ特性図  （ｂ）本発明の第１の実施の形態における受信装置の可変減衰手段の減衰量特性図
【図４】本発明の第１の実施の形態における受信装置の選択度可変同調手段の回路例を示す図
【図５】本発明の第１の実施の形態における受信装置の選択度可変同調手段の回路例を示す図
【図６】本発明の第２の実施の形態における受信装置の同調部のブロック図
【図７】（ａ）本発明の第２の実施の形態における受信装置の選択度可変同調手段の回路Ｑ特性図  （ｂ）本発明の第２の実施の形態における受信装置の可変減衰手段の減衰量特性図
【図８】本発明の第３の実施の形態における受信装置の同調部のブロック図
【図９】（ａ）本発明の第３の実施の形態における受信装置の選択度可変同調手段の回路Ｑ特性図  （ｂ）本発明の第３の実施の形態における受信装置の可変減衰手段の減衰量特性線図
【図１０】本発明の第３の実施の形態における受信装置の同調手段の構成例を示す図
【図１１】本発明の第３の実施の形態における受信装置の同調手段の構成例を示す図
【図１２】従来技術における受信装置のブロック図
【図１３】従来技術における受信装置の同調部のブロック図
【図１４】従来技術における受信装置の同調回路の通過特性の傾向を説明する図
【符号の説明】
【００４６】
１  ＲＦ入力端子
２  バンドパスフィルタ
３  可変減衰手段
４  選択度可変同調手段
５  可変利得増幅手段
６  同調手段
７  ミキサ
８  オシレータ
９  レベル検出部
１０  回路Ｑ制御部
１１  ＡＧＣ検出部
１２  ＡＧＣ制御部
１３  ＩＦ出力端子
１４  同調部
１５  ＲＦ入力端子
１６、２０  インダクタ
１７、２１  可変容量
１８、２４  コンデンサ
１９  ＰＩＮダイオード
２２  抵抗
２３  回路Ｑ制御信号入力端子
２５  ＲＦ出力端子
２６  選択度可変同調手段
２７  インダクタ
２８  可変容量
２９  ＰＩＮダイオード
３０  抵抗
３１  回路Ｑ制御信号入力端子
３２  選択度可変同調手段
３３  レベル検出部
３４  回路Ｑ制御部
３５  受信装置の同調部
３６  回路Ｑ制御部
３７  受信装置の同調部
３８  ＰＩＮダイオード
３９  コンデンサ
４０、４２  抵抗
４１  インダクタ
４３  減衰量制御信号入力端子
４４  回路例
４５  抵抗
４６  減衰量制御信号入力端子
４７  回路例
５１  ＲＦ入力端子
５２  可変減衰手段
５３、５５、５６  同調手段
５４  可変利得増幅手段
５７  切替部
５８  ＡＧＣ検出部
５９  ＡＧＣ制御部
６０  ＲＦ出力端子
６１  フロントエンド
６２  ミキサ
６３  オシレータ
１０１  受信装置
１０２  アンテナ
１０３  同調部
１０４  復調部
１０５  スピーカ（復調信号出力部）
【図１】
2006217127.tif 000003
【図２】
2006217127.tif 000004
【図３】
2006217127.tif 000005
【図４】
2006217127.tif 000006
【図５】
2006217127.tif 000007
【図６】
2006217127.tif 000008
【図７】
2006217127.tif 000009
【図８】
2006217127.tif 000010
【図９】
2006217127.tif 000011
【図１０】
2006217127.tif 000012
【図１１】
2006217127.tif 000013
【図１２】
2006217127.tif 000014
【図１３】
2006217127.tif 000015
【図１４】
2006217127.tif 000016